(57)【要約】【課題】本発明は、各サブフィールドにおいてライン毎の表示負荷に応じた輝度誤差を高精度に補正することができるプラズマディスプレイ装置を提供することを目的とする。【解決手段】複数の維持電極を第１の電圧波形により駆動した後に第１の電圧波形と異なる第２の電圧波形により駆動する第１の駆動回路と、複数の走査電極を第１の電圧波形により駆動した後に第２の電圧波形により駆動する駆動する第２の駆動回路と、第１の駆動回路と第２の駆動回路とを制御して複数の維持電極と複数の走査電極との間に第１の電圧波形による第１の維持放電と第２の電圧波形による第２の維持放電とを発生させる際に、一つのサブフィールドにおける第１の維持放電の回数と第２の維持放電の回数とを表示データに応じて走査電極毎に制御する制御回路を含むことを特徴とする。【選択図】図６
2008134441.tif 000002
【特許請求の範囲】
【請求項１】
１フィールドを構成する複数のサブフィールド毎に表示データに応じて点灯の有無を制御して画像表示するプラズマディスプレイ装置であって、
複数の維持電極と複数の走査電極とを含むプラズマディスプレイパネルと、
該複数の維持電極を第１の電圧波形により駆動した後に該第１の電圧波形と異なる第２の電圧波形により駆動する第１の駆動回路と、
該複数の走査電極を該第１の電圧波形により駆動した後に該第２の電圧波形により駆動する駆動する第２の駆動回路と、
該第１の駆動回路と該第２の駆動回路とを制御して該複数の維持電極と該複数の走査電極との間に該第１の電圧波形による第１の維持放電と該第２の電圧波形による第２の維持放電とを発生させる際に、一つのサブフィールドにおける該第１の維持放電の回数と該第２の維持放電の回数とを該表示データに応じて該走査電極毎に制御する制御回路
を含むことを特徴とするプラズマディスプレイ装置。
【請求項２】
該制御回路は、第１の走査電極に比べて第２の走査電極の表示負荷率が小さい場合に、該第１の走査電極に対する該第１の維持放電の回数及び該第２の維持放電の回数に比べて該第２の走査電極に対する該第１の維持放電の回数及び該第２の維持放電の回数の少なくとも一方を少なくすることを特徴とする請求項１記載のプラズマディスプレイ装置。
【請求項３】
該第２の駆動回路は該走査電極毎に維持放電の回数を設定可能に構成され、該制御回路は、該表示データに応じて決定した該第１の維持放電の回数と該第２の維持放電の回数とを示す信号を該第２の駆動回路に供給することにより、該第１の維持放電の回数と該第２の維持放電の回数とを該走査電極毎に該第２の駆動回路に設定することを特徴とする請求項１記載のプラズマディスプレイ装置。
【請求項４】
該プラズマディスプレイパネルは該複数の走査電極に略垂直に配置される複数のアドレス電極を更に含み、該制御回路は、表示セルを選択するために該複数のアドレス電極にアドレス電圧を印加するとともに該複数の走査電極に走査電圧を順次印加していくアドレス駆動動作の後、維持放電開始までの間に該信号を該第２の駆動回路に供給することを特徴とする請求項３記載のプラズマディスプレイ装置。
【請求項５】
該制御回路は、該第１の維持放電の回数と該第２の維持放電の回数とをサブフィールド毎の各表示ラインの表示セル数に応じて決定することを特徴とする請求項１記載のプラズマディスプレイ装置。
【請求項６】
１フィールドを構成する複数のサブフィールド毎に表示データに応じて点灯の有無を制御しながら、プラズマディスプレイパネルの複数の維持電極と複数の走査電極との間に維持放電を発生させて画像表示するプラズマディスプレイ装置において、
一つのサブフィールドにおける第１の維持放電の回数と第２の維持放電の回数とを該表示データに応じて該走査電極毎に決定し、
該一つのサブフィールドにおいて該走査電極毎に決定された該第１の維持放電の回数だけ第１の電圧波形により維持放電を発生させ、
該一つのサブフィールドにおいて該走査電極毎に決定された該第２の維持放電の回数だけ該第１の電圧波形とは異なる第２の電圧波形により維持放電を発生させる
各段階を含むことを特徴とするプラズマディスプレイパネルの駆動方法。
【請求項７】
第１の走査電極に比べて第２の走査電極の表示負荷率が小さい場合に、該第１の走査電極に対する該第１の維持放電の回数及び該第２の維持放電の回数に比べて該第２の走査電極に対する該第１の維持放電の回数及び該第２の維持放電の回数の少なくとも一方を少なくすることを特徴とする請求項６記載のプラズマディスプレイパネルの駆動方法。
【請求項８】
該第１の維持放電の回数と該第２の維持放電の回数とをサブフィールド毎の各表示ラインの表示セル数に応じて決定することを特徴とする請求項６記載のプラズマディスプレイパネルの駆動方法。
【発明の詳細な説明】
【技術分野】
【０００１】
本発明は、一般に画像表示装置及び画像表示装置の駆動方法に関し、詳しくは、プラズマディスプレイ装置及びプラズマディスプレイパネルの駆動方法に関する。
【背景技術】
【０００２】
近年、プラズマディスプレイ装置は、視認性に優れた表示パネル（薄型表示デバイス）として注目されており、高精細化および大画面化が進められている。一般にプラズマディスプレイ装置は走査電極とアドレス電極との間に書込みパルスを印加することにより、走査電極とアドレス電極との間でアドレス放電を行い、放電セルを選択する。そして放電セルを選択した後、走査電極（Ｙ電極）と維持電極（Ｘ電極）との間に、交互に反転する周期的な維持パルスを印加することにより、走査電極と維持電極との間で維持放電を行い、所定の表示を行う。
【０００３】
走査電極や維持電極はインピーダンスがゼロであることが理想的であるが、実際にはゼロでないインピーダンスが存在する。このインピーダンスの存在により、維持放電期間において各電極を電流が流れると電極に沿った電圧降下が生じ、放電の輝度が低下する場合がある。この際、ある電極を流れる電流量は、その電極に対応する表示ラインに表示するデータ内容に依存する。即ち、表示ライン上で点灯（放電）する表示セルの数が多いほど、その表示ラインに対応する電極を流れる電流量が大きくなる。このため、表示データの内容に応じて、各表示ライン毎に表示輝度が異なってしまう。
【０００４】
図１は、表示ライン間で生じる輝度誤差について説明するための図である。プラズマディスプレイパネルの中心付近に黒表示部分１０１として黒を表示し、黒表示部分１０１の周囲全体に白を表示している。この場合、黒表示部分１０１の横に位置する白表示部分１０２の輝度が、その上に位置する白表示部分１０３の輝度よりも高くなるという現象が起きる。表示負荷率が大きい（即ち、白表示セルの数が多く、流れる電流量が大きい）表示ラインにおいては、表示負荷率が小さい（即ち、白表示セルの数が少なく、流れる電流量が小さい）表示ラインに比べて電極上の電圧降下が大きくなる。従って、表示負荷率が大きい表示ライン上にある白表示部分１０３の方が、表示負荷率の小さい表示ライン上にある白表示部分１０２よりも輝度が下がってしまう。
【０００５】
このような表示ライン間の輝度誤差は、サステイン電流（維持放電電流）により引き起こされるＸＹ電極での電圧降下が根本原因であり、通常はバス電極のインピーダンス或いはサステイン電流を低減することにより低減を図っている。しかしバス電極のインピーダンスやサステイン電流を完全になくすことは不可能であり限界がある。そこで駆動時に表示輝度を調整することにより、表示ライン間の輝度誤差を解決する方法が提案されている。例えば、ラインの表示内容に応じてラインの表示階調レベルを制御して、ライン間に生じる輝度差を低減及び解消させる方法がある（特許文献１）。また、ラインの電極毎に維持放電の回数を制御することにより、ライン間の輝度誤差を解消する方法も提案されている（特許文献２）。
【０００６】
特許文献１の制御方法は、輝度が高いラインの表示階調レベルを下げるように制御することにより、フィールド毎に各表示ラインの輝度調整している。しかし表示ライン間の輝度誤差は本来一つ一つのサブフィールドにおいて発生するものであり、複数のサブフィールドの総和である一つのフィールドに視覚的に現れる表示ライン間の輝度誤差は、各サブフィールドに発生する輝度誤差に起因するものである。従って、フィールドの表示階調レベルを調整して全体で輝度誤差を解消しようとしても、階調レベル調整により放電状態が変わる個々のサブフィールドにおいて新たな輝度誤差が生じるために、調整動作が収束しない場合がある。また特許文献２の制御方法では、サステイン放電の１回分を最小単位とした調整しかできないので、表示データが低階調の場合には、補正の刻みが相対的に荒くなるという問題点があった。
【特許文献１】特開２００５−２５７７５４号公報
【特許文献２】特開平９−６８９４５号公報
【発明の開示】
【発明が解決しようとする課題】
【０００７】
以上を鑑みて本発明は、複数回のサステイン放電により各サブフィールドの表示を行なうプラズマディスプレイ装置において、各サブフィールドにおいてライン毎の表示負荷に応じた輝度誤差を高精度に補正することができるプラズマディスプレイ装置を提供することを目的とする。
【課題を解決するための手段】
【０００８】
１フィールドを構成する複数のサブフィールド毎に表示データに応じて点灯の有無を制御して画像表示するプラズマディスプレイ装置は、複数の維持電極と複数の走査電極とを含むプラズマディスプレイパネルと、該複数の維持電極を第１の電圧波形により駆動した後に該第１の電圧波形と異なる第２の電圧波形により駆動する第１の駆動回路と、該複数の走査電極を該第１の電圧波形により駆動した後に該第２の電圧波形により駆動する駆動する第２の駆動回路と、該第１の駆動回路と該第２の駆動回路とを制御して該複数の維持電極と該複数の走査電極との間に該第１の電圧波形による第１の維持放電と該第２の電圧波形による第２の維持放電とを発生させる際に、一つのサブフィールドにおける該第１の維持放電の回数と該第２の維持放電の回数とを該表示データに応じて該走査電極毎に制御する制御回路を含むことを特徴とする。
【０００９】
プラズマディスプレイパネルの駆動方法は、１フィールドを構成する複数のサブフィールド毎に表示データに応じて点灯の有無を制御しながら、プラズマディスプレイパネルの複数の維持電極と複数の走査電極との間に維持放電を発生させて画像表示するプラズマディスプレイ装置において、一つのサブフィールドにおける第１の維持放電の回数と第２の維持放電の回数とを該表示データに応じて該走査電極毎に決定し、該一つのサブフィールドにおいて該走査電極毎に決定された該第１の維持放電の回数だけ第１の電圧波形により維持放電を発生させ、該一つのサブフィールドにおいて該走査電極毎に決定された該第２の維持放電の回数だけ該第１の電圧波形とは異なる第２の電圧波形により維持放電を発生させる各段階を含むことを特徴とする。
【発明の効果】
【００１０】
本発明の少なくとも一つの実施例によれば、各サブフィールドにおいて、他のサブフィールドに影響を与えることなく、表示ライン間の輝度誤差を高精度に補正することができる。
【発明を実施するための最良の形態】
【００１１】
図２は、本発明によるプラズマディスプレイ装置の構成例を示す図である。図２のプラズマディスプレイ装置は、プラズマディスプレイパネル３、維持電極を駆動する維持電極駆動回路４、走査電極を駆動する走査電極駆動回路５、アドレス電極を駆動するアドレス電極駆動回路６、各駆動回路を制御する制御回路７、各駆動回路及び制御回路７に電源電圧を供給する電源回路８、維持電極１１、走査電極１２、及びアドレス電極１５を含む。
【００１２】
図３はプラズマディスプレイ３のパネル構造の一例を示す分解斜視図である。前面基板１には繰り返し放電を行なう維持（Ｘ）電極１１、走査（Ｙ）電極１２が所定の間隔で平行に配置されている。各電極は片側に隣接する電極と対を成して放電するが、両側に隣接する電極と放電を行なう構造もある。また、各電極は交互に配置されているが、放電を行なわない側では維持電極１１同士、あるいは走査電極１２同士が隣接して配置される構造もある。この電極群は誘電体層１３に覆われており、さらにその表面はＭｇＯ等の保護層１４に覆われている。背面基板２には維持電極１１、走査電極１２とほぼ垂直方向にアドレス電極１５が配置されており、さらに誘電体層１６に覆われている。アドレス電極１５の両側には隔壁１７が配置され、列方向のセルを区分けしている。さらにアドレス電極１５上の誘電体層１６及び隔壁１７の側面には紫外線により励起されて赤（Ｒ）、緑（ｄ）、青（Ｂ）の可視光を発生する蛍光体１８、１９、２０が塗布されている。この前面基板１と背面基板２を保護層１４と隔壁１７が接するように貼り合わせて、Ｎｅ−Ｘｅ等の放電ガスを封入し、パネルを構成している。尚、背面基板に行方向のセルを区分けする横隔壁を有するものもある。
【００１３】
図２を再び参照し、制御回路７は、外部より入力されるクロック信号、表示データ、垂直同期信号、水平同期信号等に応じてパネル駆動を制御するための制御信号を生成する。具体的には、制御回路７は表示データを受け取りフレームメモリに格納し、クロックに同期してフレームメモリの表示データに応じたアドレス制御信号を生成する。アドレス制御信号は、アドレス電極駆動回路６に供給される。また制御回路７は、垂直同期信号及び水平同期信号に同期して、各駆動回路の動作を制御するための制御信号を走査電極駆動回路５及び維持電極駆動回路４に供給する。
【００１４】
アドレス電極駆動回路６は、制御回路７からのアドレス制御信号に応じて動作し、表示データに対応したアドレス電圧パルスを各アドレス電極１５に印加する。走査電極駆動回路５は、制御回路７からの制御信号に応じて動作し、各走査電極１２を独立して駆動する。走査電極駆動回路５が走査電極１２を順次駆動しながら、アドレス電極駆動回路６がアドレス電圧パルスを各アドレス電極１５に印加することにより、表示するセルを選択して、各セル（画素）の発光・非発光（選択／非選択）を制御する。
【００１５】
走査電極駆動回路５により走査電極１２に維持電圧パルスを印加するとともに、維持電極駆動回路４により維持電極１１に維持電圧パルスを印加する。維持電圧パルスを印加することで、表示セルとして選択されたセルにおいて、走査電極１２と維持電極１１の間に維持放電を発生させる。
【００１６】
図４はプラズマディスプレイパネルに１つの画像を表示する際の駆動方式を示す模式図であり、アドレス・表示分離方式の一例を示している。プラズマディスプレイパネルの放電は、オン又はオフの２値の状態しかとれないので、発光の回数により各表示セルの明るさの濃淡即ち階調を表現する。
【００１７】
１画像（１フィールド：１／６０ｓｅｃ）は複数のサブフィールドから構成され、この例では１０個のサブフィールド２１〜３０が設けられている。各サブフィールドはリセット期間３１、アドレス期間３２、及び維持期間３３よりなる。リセット期間３１では、それに続くアドレス期間３２の放電を援助する目的でセル内の電荷の制御を行ない、アドレス期間３２では発光させるセルを選択する放電を行なう。続く維持期間３３では繰り返し放電を行ない、選択されたセルを発光させる。ここで、維持期間３３の長さ即ち発光回数を、それぞれのサブフィールドで異ならせる。例えば、１０個のサブフィールドの維持期間３３の長さの比率を、１：２：４：８：〜：５１２に設定する。表示するセルの輝度に応じたサブフィールドの組み合わせを選択して放電させることにより、所望の階調でセルを表示することができる。
【００１８】
本発明では、一つの維持期間３３は、第１の維持電圧波形による第１の維持放電を行う期間３４と第２の維持電圧波形による第２の維持放電を行う期間３５とから構成される。後ほど詳細に説明するように、この第１の維持放電の回数と第２の維持放電の回数とを各表示ライン毎に表示データに応じて制御することで、表示ライン間の表示輝度誤差を補正する。
【００１９】
図５は、各電極の駆動波形の一例を示す図である。（ａ）〜（ｄ）は、それぞれリセット期間からサステイン期間において、維持電極、走査電極、アドレスの各電極に印加する電圧波形とその際の放電発光を示している。（ａ）は維持電極に印加される電圧波形、（ｂ）は走査電極に印加される電圧波形、（ｃ）は放電発光、（ｄ）はアドレス電極に印加される電圧波形である。
【００２０】
まず、（ａ）に示す維持電極に印加される電圧波形では、リセット期間において全セルに電圧波形４１が印加される。（ｂ）の走査電極に印加される電圧波形では、リセット期間において全セルに電荷を形成するＹ上昇傾斜波形ｔｒｐ１が印加される。さらに続いてセル内に形成された電荷を必要量残して消去するＹ下降傾斜波形ｔｒｎ１が印加される。
【００２１】
次のアドレス期間において印加される電圧波形は、各表示ライン毎に表示セルを決める放電を行なう走査電極の走査パルス５３と、本放電により壁電荷を形成するための維持電極のＸ電圧４３である。この走査パルス５３は表示ライン毎にタイミングをずらして印加される。サステイン期間（維持期間）には、第１のサステイン波形と、第１のサステイン波形とは異なる発光強度を持つ第２のサステイン波形とが印加される。第１のサステイン波形では一番初期のサステインパルスとして４４、５４、繰り返しサステインパルス４５、４６、４７、５５、５６、５７が印加される。第２のサステインでは６１、６２、６３、６４、７１、７２、７３、７４が印加される。（ｄ）はアドレス電極に印加される波形で、放電させたいセルでは走査パルス５３に合わせて、アドレスパルス１００が印加される。
【００２２】
（ｃ）は（ａ）、（ｂ）、（ｄ）の電圧波形で放電したセルの発光を示す。尚、この発光は蛍光体の発光ではなく、放電によるＮｅ光や赤外光などの発光である。
【００２３】
リセット期間ではＹ上昇傾斜波形ｔｒｐ１により微弱な書き込み放電８１が発生する。また、Ｙ下降傾斜波形ｔｒｎ１ではやはり、微弱な放電８２が発生する。このように電圧が徐々に変化する波形では微弱な放電になり、発光量も少ない。続くアドレス期間では走査パルス５３とアドレスパルス１００により、アドレス放電８３が発生する。さらにサステイン期間ではサステイン放電８４、８５、８６、８７、８８、８９、９０、９１が発生する。
【００２４】
図６は、本発明による輝度誤差補正方式の第１の実施例を説明するための図である。１フィールドの構成は、右方向を時間軸として、左からリセット期間Ｒ、アドレス期間Ａ、サステイン期間Ｓとなっている。更にサステイン期間では第１のサステイン波形の期間と第２のサステイン波形の期間とに分かれている。第１のサステイン波形と第２のサステイン波形との主な違いは、互いに発光強度が異なるサステイン放電を生じるようなパルスである点である。ライン間の輝度誤差を減少させるような制御を行う際に、本実施例では、適切な制御ができる方のサステイン波形を選択してその放電回数（選択サステイン波形のパルス数）を減らすことにより、第１のサステイン波形による放電回数と第２のサステイン波形による放電回数との比率を変える。（ａ）に示すサステイン期間では第２のサステイン波形による維持放電数を減らしている。また（ｂ）に示すサステイン期間では第１のサステイン波形による維持放電数を減らしている。なお図６において、斜線部分は維持放電を行わない期間である。このように第１のサステイン波形による放電回数（放電時間）と第２のサステイン波形による放電回数（放電時間）との比率を変化させて、表示輝度を調整することにより、表示ライン間の輝度誤差を補正する。
【００２５】
従来のように、一種類のサステイン波形だけを用い、この一種類のサステイン波形による放電回数（波形のパルス数）を変化させて輝度調整する構成では、一種類のサステイン波形の放電一回の輝度を、輝度変化の最小単位として用いることになる。それに対して本実施例の場合には、第１のサステイン波形による放電回数と第２のサステイン波形による放電回数との何れを選択して変化させるかにより、例えば一回だけ放電回数を減らす場合にしても、輝度変化の度合いを２種類選択することができる。また後述の実施例のように、第１のサステイン波形による放電回数と第２のサステイン波形による放電回数とを両方調整可能とすれば、更に細かな最小単位での輝度変化を実現することが可能となる。
【００２６】
図７は、第１の実施例の場合の制御回路７の構成例を示す図である。図７に示す制御回路７は、ライン負荷率計算手段７００、負荷補正テーブル選択制御部７０１、第１のサステイン負荷補正係数テーブル７０２、及び第２のサステイン負荷補正係数テーブル７０３を含む。制御回路７は図７に示す以外にも種々の制御用ユニットを含むが、図７では、本発明における輝度誤差補正に関連する部分のみを示してある。
【００２７】
プラズマディスプレイパネルに表示すべき表示データが制御回路７に供給されると、この表示データがライン負荷率計算手段７００に供給される。ここで表示データはサブフィールド毎のデータとして供給される。例えば表示データＳＦ０ＤＡＴＡは、第１のサブフィールドの点灯の有無を各表示セル（各画素）毎に示すデータである。同様に、表示データＳＦ１ＤＡＴＡは第２のサブフィールドに関するデータである。
【００２８】
ライン負荷率計算手段７００は、各サブフィールドについて別々に、表示データに応じた各表示ライン毎（各走査電極毎）の表示負荷率を計算する。ここで各表示ラインに対して、白表示セルの数が多く、流れる電流量が大きい場合には表示負荷率が大きくなり、白表示セルの数が少なく、流れる電流量が小さい場合には表示負荷率が小さくなる。即ち、サブフィールド毎の各表示ラインの表示セル数（点灯画素数）に応じて、各表示ラインの表示負荷率を計算する。
【００２９】
負荷補正テーブル選択制御部７０１は、ライン負荷率計算手段７００が計算した表示負荷率に基づいて、電極間の輝度誤差を減少するに適したサステイン波形のテーブルを選択する。即ち、負荷補正テーブル選択制御部７０１は、第１のサステイン負荷補正係数テーブル７０２と第２のサステイン負荷補正係数テーブル７０３との何れか一方の負荷補正テーブルを、表示負荷率に基づいて選択する。
【００３０】
第１のサステイン負荷補正係数テーブル７０２を選択した場合は、第１のサステイン波形のみサステインパルス数を変えることで、第１のサステイン波形と第２のサステイン波形の比率を変える。第２のサステイン負荷補正係数テーブル７０３を選択した場合は、第２のサステイン波形のみサステインパルス数を変えることで、第１のサステイン波形と第２のサステイン波形の比率を変える。
【００３１】
図８は、負荷補正係数テーブルの一例を示す図である。（ａ）には第１のサステイン負荷補正係数テーブル７０２が示され、（ｂ）には第２のサステイン負荷補正係数テーブル７０３が示される。各テーブルには、着目ラインの表示負荷率（ライン負荷率）毎に、第１のサステイン波形に対する負荷補正係数と第２のサステイン波形に対する負荷補正係数とが規定されている。第１のサステイン負荷補正係数テーブルを選択した場合、第２のサステイン波形のサステイン放電数は変化しないので、負荷補正係数は一律に１となる。この場合の第１のサステイン波形については、ライン負荷率に応じて負荷補正係数が変化する。また第２のサステイン負荷補正係数テーブルを選択した場合、第１のサステイン波形のサステイン放電数は変化しないので、負荷補正係数は一律に１となる。この場合の第２のサステイン波形については、ライン負荷率に応じて負荷補正係数が変化する。
【００３２】
図９は、選択されたサステイン負荷補正係数テーブルの内容に応じた制御信号を走査電極駆動回路５に送信する部分の構成例を示す図である。図９に示される構成は、制御回路７に含まれるものである。
【００３３】
図９に示す構成は、負荷補正係数算出部７１１、補正後サステイン数決定部７１２、及びＳＥＬ信号発生回路部７１３を含む。負荷補正係数算出部７１１は、選択された負荷補正係数テーブルを用いることにより、着目表示ラインの表示負荷率に応じた負荷補正係数を算出する。即ち、選択された負荷補正係数テーブルから、着目表示ラインの表示負荷率に対応する欄の負荷補正係数を取り出す。この負荷補正係数は、サステイン波形形状毎（第１のサステイン波形と第２のサステイン波形とのそれぞれについて）求められる。
【００３４】
補正後サステイン数決定部７１２は、補正前のサステイン数（補正前のサステイン放電回数）と求められた負荷補正係数とをかけ合わせることで、補正後のサステイン放電回数を決定する。この補正後のサステイン放電回数に応じて、ＳＥＬ信号発生回路部７１３が、ＳＥＬ信号を生成して走査電極駆動回路５に供給する。このＳＥＬ信号は、補正後のサステイン放電回数に応じた信号（補正後のサステイン放電回数を示す信号）となる。例えば、ＳＥＬ信号は補正後のサステイン放電回数に等しい数のパルスから構成される。なおこの際、ＳＥＬ信号は、第１のサステイン波形と第２のサステイン波形とのそれぞれについて別個に放電回数を示すような信号であってよい。
【００３５】
図１０は、走査電極駆動回路５の構成の一例を示す図である。図１０の走査電極駆動回路５は、ドライバＩＣ８００を含む。このドライバＩＣ８００は、リセット電圧波形、走査パルス波形、及び維持放電波形等を供給する駆動回路とプラズマディスプレイパネル３との間に設けられ、アドレス期間において各走査電極１２（図１０ではＹ１及びＹ２）を一本ごとに順次操作する際に駆動する回路である。一般に、一つのドライバＩＣ８００は比較的少ない数（例えば１９２本：図１０の例では２本）の走査電極１２を駆動する回路であり、複数のドライバＩＣ８００を並べて配置することにより、プラズマディスプレイパネル３全体の走査電極１２を走査・駆動する。
【００３６】
ドライバＩＣ８００は、駆動対象の複数の走査電極１２の各々に対してサステイン放電回数制御回路８０２、スイッチＳＷ１、スイッチＳＷ２、ダイオードＤ１、及びダイオードＤ２を含む。ドライバＩＣ８００は、電源電圧ＶＤＨ及びグランド電圧ＨＧＮＤにより駆動し、制御回路７から供給される制御信号ＯＣ１及びＯＣ２とクロック信号ＣＬＫに応じて上記の走査・駆動動作を実行する。
【００３７】
補正後のサステインパルス数を示すＳＥＬ信号が、制御回路７のＳＥＬ信号発生回路部７１３から、サステイン放電回数制御回路８０２に送られてくる。サステイン放電回数制御回路８０２のパルスカウント回路８０２ａは、ＳＥＬ信号のパルス数をカウントする。サステイン放電回数制御回路８０２のサステイン制御回路８０２ｂは、パルスカウント回路８０２ａのカウント値に応じた数だけ、各走査電極（図１０の例ではＹ１又はＹ２）にサステイン電圧波形パルスを印加する。即ち、スイッチＳＷ１、スイッチＳＷ２、ダイオードＤ１、及びダイオードＤ２からなる回路部分から供給されるサステイン電圧波形パルスを、パルスカウント回路８０２ａのカウント値に応じた数だけ通過させて、走査電極に供給する。この際、第１のサステイン波形と第２のサステイン波形とのそれぞれについて、別個のカウント値に応じた制御をする構成であってよい。
【００３８】
図１１は、アドレス期間におけるＳＥＬ信号の伝送時間と走査電極側のドライバＩＣの駆動期間とを示した図である。まずドライバＩＣ１が駆動し、その後ドライバＣＩ２が駆動し、更にその後ドライバＩＣ３が駆動するというように動作して、複数のドライバＩＣが順次駆動されていく。これにより複数の走査電極１２が順次走査されていく。期間９００はドライバＩＣの休止期間を示し、期間９０２はドライバＩＣの駆動期間を示す。また各ドライバＩＣが駆動した後の期間９０１を、ＳＥＬ信号を伝送する期間とする。即ち、走査電極を走査・駆動するためにドライバＩＣが駆動する期間９０２に続く期間９０１において、制御回路７から走査電極駆動回路５にＳＥＬ信号が供給される。
【００３９】
図１２は、第１の実施例の場合のサステイン期間の駆動波形を示す図である。第１のサステイン期間におけるパルスを４４、４５、４６、４７、５４、５５、５６、５７、第２のサステイン期間におけるパルスを６１、６２、６３、６４、７１、７２、７３、７４としている。（ａ）は第２負荷補正テーブルを選択した場合であり、第１のサステイン期間におけるサステインパルス数については維持電極側（Ｘ側）と走査電極側（Ｙ側）とで同一であるが、第２のサステイン期間においては、走査電極側の電圧波形をサステイン波形パルス７２の後、グランド電圧に固定している。グランド電圧の基準点はどこでもよいが、この例ではサステイン波形パルス７２の位置をグランド電圧としている。このように第２のサステイン期間の一部において走査電極側の波形をグランド電圧に固定することで、第２のサステイン期間における放電の回数を制御している。
【００４０】
（ｂ）は第１負荷補正テーブルを選択した場合であり、第２のサステイン期間におけるサステインパルス数については維持電極側（Ｘ側）と走査電極側（Ｙ側）とで同一であるが、第１のサステイン期間においては、走査電極側の電圧波形をサステイン波形パルス５５の後、グランド電圧に固定している。このように第１のサステイン期間の一部において走査電極側の波形をグランド電圧に固定することで、第１のサステイン期間における放電の回数を制御している。
【００４１】
図１３は、本発明による輝度誤差補正方式の第２の実施例を説明するための図である。ライン間の輝度誤差を減少させるような制御を行う際に、本実施例では、第１のサステイン波形による放電回数と第２のサステイン波形による放電回数との両方を減らすことにより、第１のサステイン波形による放電回数と第２のサステイン波形による放電回数との比率を変える。（ａ）に示すのは補正前のサステイン期間であり、（ｂ）に示すのは補正後のサステイン期間である。図１３において、斜線部分は維持放電を行わない期間である。このように第１のサステイン波形による放電回数（放電時間）と第２のサステイン波形による放電回数（放電時間）との両方を減らして、表示輝度を調整することにより、表示ライン間の輝度誤差を補正する。
【００４２】
図１４は、第２の実施例の場合の制御回路の構成例を示す図である。図１４において、図７と同一の構成要素は同一の番号で参照し、その説明は省略する。図７に示す制御回路７Ｂは、ライン負荷率計算手段７００、第１のサステイン負荷補正係数テーブル７０２、及び第２のサステイン負荷補正係数テーブル７０３を含む。制御回路７Ｂは図７に示す以外にも種々の制御用ユニットを含むが、図７では、本発明における輝度誤差補正に関連する部分のみを示してある。
【００４３】
ライン負荷率計算手段７００は、各サブフィールドについて別々に、表示データに応じた各表示ライン毎（各走査電極毎）の表示負荷率を計算する。こうして計算された表示ライン毎の表示負荷率に基づいて、第１のサステイン負荷補正係数テーブル７０２から第１のサステイン波形の負荷補正係数を抽出し、また第２のサステイン負荷補正係数テーブル７０３から第２のサステイン波形の負荷補正係数を抽出する。これにより、第１のサステイン波形のサステインパルス数と第２のサステイン波形のサステインパルス数との両方を変化させる。制御回路からＳＥＬ信号を走査電極駆動回路５に供給して、走査電極１２の放電回数を制御する構成は、図９及び図１０を参照して説明した構成と同一である。
【００４４】
図１５は、第２の実施例の場合のサステイン期間の駆動波形を示す図である。第１のサステイン期間におけるパルスを４４、４５、４６、４７、５４、５５、５６、第２のサステイン期間におけるパルスを６１、６２、６３、６４、７１、７２としている。第１のサステイン期間における走査電極側のサステイン波形パルス５５と第２のサステイン期間における走査電極側のサステイン波形パルス７２とは、双方ともに、次のサステインパルスに移ることなくグランド電圧に維持される。これにより、第１のサステイン期間と第２のサステイン期間との両方においてサステイン放電の回数を制御している。
【００４５】
図１６は、本発明による輝度誤差補正方式の第３の実施例を説明するための図である。ライン間の輝度誤差を減少させるような制御を行う際に、本実施例では、第１のサステイン波形による放電回数及び第２のサステイン波形による放電回数の一方を減らして他方を増やすことにより、第１のサステイン波形による放電回数と第２のサステイン波形による放電回数との比率を変える。（ａ）に示すのは補正前のサステイン期間であり、（ｂ）に示すのは補正後のサステイン期間である。このように第１のサステイン波形による放電回数（放電時間）と第２のサステイン波形による放電回数（放電時間）との総和は一定としながら、両者の比率を変化させて表示輝度を調整することにより、表示ライン間の輝度誤差を補正する。
【００４６】
第３の実施例の場合の制御回路の構成は、図１４に示すものと同様の構成でよい。ライン負荷率計算手段７００は、各サブフィールドについて別々に、表示データに応じた各表示ライン毎（各走査電極毎）の表示負荷率を計算する。こうして計算された表示ライン毎の表示負荷率に基づいて、第１のサステイン負荷補正係数テーブル７０２から第２のサステイン波形の負荷補正係数を抽出し、また第２のサステイン負荷補正係数テーブル７０３から第１のサステイン波形の負荷補正係数を抽出する。これにより、第１のサステイン波形のサステインパルス数及び第２のサステイン波形のサステインパルス数の一方を増やして他方を減らすように補正する。制御回路からＳＥＬ信号を走査電極駆動回路５に供給して、走査電極１２の放電回数を制御する構成は、図９及び図１０を参照して説明した構成と同一である。
【００４７】
第３の実施例では、第１のサステイン波形による放電回数と第２のサステイン波形による放電回数との総和が、補正前後で一致するように構成することにより、両者のサステイン放電間の輝度の差分により制御することができる。即ち、発光強度の高い方のサステイン波形のパルスを１つ減らし、発光強度の低い方のサステイン波形のパルスを１つ増やすことで、発光強度の差分を単位として輝度を減らすことができる。サステインの放電回数を増加可能とするためには、以下のように構成すればよい。即ち、増やす方のサステイン波形についてのサステイン上限回数を、全ラインにおいてデフォールト回数よりも多くしておく。そして放電回数を増やしたいラインについてのみ、デフォールト回数よりも放電回数を増やす。
【００４８】
図１７は、第３の実施例の場合のサステイン期間の駆動波形を示す図である。第１のサステイン期間におけるパルスを４４、４５、４６、４７、５４、５５、５６、５７、第２のサステイン期間におけるパルスを６１、６２、６３、６４、７１、７２としている。トータルの放電回数を変化させることなく、第１のサステイン波形のパルス数と第２のサステイン波形のパルス数との割合を変えることで、サステイン波形パルスの発光強度の差分を単位とした輝度調整が可能となる。図１７の例では走査電極側の第１のサステイン波形のパルスを補正前（デフォールトの状態）から２つ増やし（白丸で示したパルス）、走査電極側の第２のサステイン波形のパルスを補正前（デフォールトの状態）から２つ減らしている（黒丸で示した位置のパルス）。これにより、表示ラインにおけるサステインパルス数の総和を一定としながら、第１のサステイン波形のパルス数と第２のサステイン波形のパルス数との割合を変化させている。
【００４９】
以上、本発明を実施例に基づいて説明したが、本発明は上記実施例に限定されるものではなく、特許請求の範囲に記載の範囲内で様々な変形が可能である。
【図面の簡単な説明】
【００５０】
【図１】表示ライン間で生じる輝度誤差について説明するための図である。
【図２】本発明によるプラズマディスプレイ装置の構成例を示す図である。
【図３】プラズマディスプレイのパネル構造の一例を示す分解斜視図である。
【図４】プラズマディスプレイパネルに１つの画像を表示する際の駆動方式を示す模式図である。
【図５】各電極の駆動波形の一例を示す図である。
【図６】本発明による輝度誤差補正方式の第１の実施例を説明するための図である。
【図７】第１の実施例の場合の制御回路の構成例を示す図である。
【図８】負荷補正係数テーブルの一例を示す図である。
【図９】選択されたサステイン負荷補正係数テーブルの内容に応じた制御信号を走査電極駆動回路に送信する部分の構成例を示す図である。
【図１０】走査電極駆動回路の構成の一例を示す図である。
【図１１】アドレス期間におけるＳＥＬ信号の伝送時間と走査電極側のドライバＩＣの駆動期間とを示した図である。
【図１２】第１の実施例の場合のサステイン期間の駆動波形を示す図である。
【図１３】本発明による輝度誤差補正方式の第２の実施例を説明するための図である。
【図１４】第２の実施例の場合の制御回路の構成例を示す図である。
【図１５】第２の実施例の場合のサステイン期間の駆動波形を示す図である。
【図１６】本発明による輝度誤差補正方式の第３の実施例を説明するための図である。
【図１７】第３の実施例の場合のサステイン期間の駆動波形を示す図である。
【符号の説明】
【００５１】
１…前面板
２…背面板
３…パネル
４…維持電極駆動回路
５…走査電極駆動回路
６…アドレス電極駆動回路
７…制御回路
８…電源回路
１１…維持電極（Ｘ電極）
１２…走査電極（Ｙ電極）
１５…アドレス電極
１７…隔壁
１８〜２０…蛍光体
２１〜３０…サブフィールド
３１…リセット期間
３２…アドレス期間
３３…サステイン期間
３４…第１のサステイン波形
３５…第２のサステイン波形
４４〜４９、５４〜５９…第1のサステインパルス
６１〜６４、７１〜７４…第2のサステインパルス
７００…ライン負荷率計算手段
７０１…負荷補正テーブル選択制御部
７０２…第1のサステイン負荷補正係数テーブル
７０３…第2のサステイン負荷補正係数テーブル
８００…ドライバIC
８０１…プラズマディスプレイパネル
９００…ドライバICの休止期間
９０１…ＳＥＬ信号の伝送タイミング
９０２…ドライバICの駆動期間
【図１】
2008134441.tif 000003
【図２】
2008134441.tif 000004
【図３】
2008134441.tif 000005
【図４】
2008134441.tif 000006
【図５】
2008134441.tif 000007
【図６】
2008134441.tif 000008
【図７】
2008134441.tif 000009
【図８】
2008134441.tif 000010
【図９】
2008134441.tif 000011
【図１０】
2008134441.tif 000012
【図１１】
2008134441.tif 000013
【図１２】
2008134441.tif 000014
【図１３】
2008134441.tif 000015
【図１４】
2008134441.tif 000016
【図１５】
2008134441.tif 000017
【図１６】
2008134441.tif 000018
【図１７】
2008134441.tif 000019